Podtech/llm-jp-corpus-v4-ja_patent huggingface dataset:
【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】  エルビウム（Ｅｒ：ＹＡＧ）レーザーもしくはホルミウム（Ｈｏ：ＹＡＧ）レーザーを含む装置で形成された爪中の一つもしくはそれ以上のオリフィスに投与されることを特徴とする、爪甲真菌症に感染した爪を処置するための抗真菌剤含有医薬組成物。
【請求項２】  液状、粘稠もしくは半固形である、請求項１に記載の組成物。
【請求項３】  組成物の１〜１０重量％の量で抗真菌剤を含む、請求項１もしくは２に記載の組成物。
【請求項４】  組成物の１０〜１００重量％の量で抗真菌剤を含む、請求項１もしくは２に記載の組成物。
【請求項５】  組成物の７０重量％以上の量で抗真菌剤を含む、請求項４に記載の組成物。
【請求項６】  実質的に純粋な抗真菌剤粉末を含む、請求項１に記載の組成物。
【請求項７】  爪が、抗真菌剤含有組成物の投与前に界面活性剤でさらに処理されることを特徴とする、請求項１〜６に記載の組成物。
【請求項８】  保護被膜が爪の上にさらに施されることを特徴とする、請求項１〜７に記載の組成物。
【請求項９】  抗真菌剤がアリルアミン、ベンジルアミン、およびアゾールをベースとする抗真菌剤からなる群から選択される、請求項１〜８に記載の組成物。
【請求項１０】  抗真菌剤がテルビナフィン、ナフチフィン、ブテナフィン、チオコナゾール、エコナゾール、オキシコナゾール、イトラコナゾール、フルコナゾール、ケトコナゾール、ミコナゾールおよびクロトリマゾールからなる群から選択される、請求項１〜９に記載の組成物。
【請求項１１】  抗真菌剤がテルビナフィンである、請求項１〜１０に記載の組成物。
【請求項１２】  （ａ）爪に穴をあけるレーザー、
（ｂ）処置する足指もしくは指を固定／配置する支持手段、および
（ｃ）指示レーザー、
を含む装置。
【請求項１３】  (ｄ)ｘｙｚ翻訳ステージモジュール、
をさらに含む請求項１２に記載の装置。
【請求項１４】  穴をあけるレーザーがエルビウム（Ｅｒ：ＹＡＧ）もしくはホルミウム（Ｈｏ：ＹＡＧ）レーザーである、請求項１２または１３に記載の装置。
【請求項１５】  指示レーザーが可視連続波（ｃｗ）レーザーである、請求項１２〜１４のいずれか１項に記載の装置。
【請求項１６】  指示レーザーが赤色Ｈｅ−Ｎｅレーザーもしくはレーザーダイオードである、請求項１５に記載の装置。
【請求項１７】  爪甲をモニターする手段をさらに含む、請求項１２〜１６のいずれか１項に記載の装置。
【手続補正書】
【提出日】平成15年4月4日(2003.4.4)
【手続補正１】
【補正対象書類名】明細書
【補正対象項目名】特許請求の範囲
【補正方法】変更
【補正の内容】
【特許請求の範囲】
【請求項１】
アデノシン−５’−三リン酸−２’，３’−ジアルデヒドを活性成分として含む鎮痛剤。
【手続補正書】
【提出日】平成15年4月11日(2003.4.11)
【手続補正１】
【補正対象書類名】明細書
【補正対象項目名】請求項１２
【補正方法】変更
【補正の内容】
【請求項１２】
式Ｉｂの化合物またはその塩の製造方法であって、
（ａ）式ＩＩＩ
【化７】
2004505965.tif 000001
（式中、環Ｃ、Ｒ２およびｍは、請求項１に定義の通りであり、Ｌ１は置換可能部分である）
を有する化合物と、式ＩＶ
【化８】
2004505965.tif 000002
（式中、Ｒｂ、Ｒ１およびｎは、請求項１に定義の通りであり、Ｇ１、Ｇ２、Ｇ３、Ｇ４およびＧ５は全て−ＣＨ−であり、そしてＺｂは請求項３に定義の通りである）
を有する化合物との反応；
（ｂ）少なくとも一つのＲ２がＲ５Ｘ１であり、ここにおいて、Ｒ５が請求項１に定義の通りであり、Ｘ１が、−Ｏ−、−Ｓ−、−ＯＣ（Ｏ）−または−ＮＲ１０−（式中、Ｒ１０は、独立して、水素、Ｃ１−３アルキルまたはＣ１−３アルコキシＣ２−３アルキルである）である式Ｉｂの化合物またはその塩は、式Ｖ
【化９】
2004505965.tif 000003
（式中、環Ｃ、Ｒｂ、Ｒ１、Ｒ２およびｎは、請求項１に定義の通りであり、Ｇ１、Ｇ２、Ｇ３、Ｇ４およびＧ５は全て−ＣＨ−であり、Ｚｂは請求項３に定義の通りであり、Ｘ１は本請求項中のこの段落に定義の通りであり、そしてｓは０または１である）
を有する化合物と、式ＶＩ
Ｒ５−Ｌ１          （ＶＩ）
（式中、Ｒ５は請求項１に定義の通りであり、Ｌ１は本請求項中に定義の通りである）
を有する化合物との反応によって製造することができる；
（ｃ）少なくとも一つのＲ２がＲ５Ｘ１であり、ここにおいて、Ｒ５が請求項１に定義の通りであり、Ｘ１が、−Ｏ−、−Ｓ−、−ＯＣ（Ｏ）−または−ＮＲ１０−（式中、Ｒ１０は、水素、Ｃ１−３アルキルまたはＣ１−３アルコキシＣ２−３アルキルである）である式Ｉｂの化合物またはその塩は、式ＶＩＩ
【化１０】
2004505965.tif 000004
を有する化合物と、式ＶＩＩＩ
Ｒ５−Ｘ１−Ｈ          （ＶＩＩＩ）
（式中、環Ｃ、Ｒｂ、Ｒ１、Ｒ２、Ｒ５およびｎは全て、請求項１に定義の通りであり、Ｇ１、Ｇ２、Ｇ３、Ｇ４およびＧ５は全て−ＣＨ−であり、Ｚｂは請求項３に定義の通りであり、Ｌ１およびｓは、本請求項中に定義の通りであり、そしてＸ１は本請求項中のこの段落に定義の通りである）
を有する化合物との反応によって製造することができる；
（ｄ）少なくとも一つのＲ２がＲ５Ｘ１であり、ここにおいて、Ｘ１が請求項１に定義の通りであり、そしてＲ５がＣ１−５アルキルＲ６２であり、ここにおいて、Ｒ６２が、次の９種類の基
（１）Ｘ１０Ｃ１−３アルキル
（式中、Ｘ１０は、−Ｏ−、−Ｓ−、−ＳＯ２−、−ＮＲ６３Ｃ（Ｏ）−または−ＮＲ６４ＳＯ２−（ここにおいて、Ｒ６３およびＲ６４は、同じであってよいしまたは異なっていてよく、各々、水素、Ｃ１−３アルキルまたはＣ１−３アルコキシＣ２−３アルキルである）である）；
（２）ＮＲ６５Ｒ６６
（式中、Ｒ６５およびＲ６６は、同じであってよいしまたは異なっていてよく、各々、水素、Ｃ１−３アルキルまたはＣ１−３アルコキシＣ２−３アルキルである）；
（３）Ｘ１１Ｃ１−５アルキルＸ５Ｒ２２
（式中、Ｘ１１は、−Ｏ−、−Ｓ−、−ＳＯ２−、−ＮＲ６７Ｃ（Ｏ）−、−ＮＲ６８ＳＯ２−または−ＮＲ６９−（ここにおいて、Ｒ６７、Ｒ６８およびＲ６９は、同じであってよいしまたは異なっていてよく、各々、水素、Ｃ１−３アルキルまたはＣ１−３アルコキシＣ２−３アルキルである）であり、
Ｘ５およびＲ２２は、請求項１に定義の通りである）；
（４）Ｒ２８
（式中、Ｒ２８は、請求項１に定義の通りである）；
（５）Ｘ１２Ｒ２９
（式中、Ｘ１２は、−Ｏ−、−Ｓ−、−ＳＯ２−、−ＮＲ７０Ｃ（Ｏ）−、−ＮＲ７１ＳＯ２−または−ＮＲ７２−（ここにおいて、Ｒ７０、Ｒ７１およびＲ７２は、同じであってよいしまたは異なっていてよく、各々、水素、Ｃ１−３アルキルまたはＣ１−３アルコキシＣ２−３アルキルである）であり、
Ｒ２９は請求項１に定義の通りである）；および
（６）Ｘ１３Ｃ１−３アルキルＲ２９
（式中、Ｘ１３は、−Ｏ−、−Ｓ−、−ＳＯ２−、−ＮＲ７３Ｃ（Ｏ）−、−ＮＲ７４ＳＯ２−または−ＮＲ７５−（ここにおいて、Ｒ７３、Ｒ７４およびＲ７５は、各々独立して、水素、Ｃ１−３アルキルまたはＣ１−３アルコキシＣ２−３アルキルである）であり、
Ｒ２９は請求項１に定義の通りである）；
（７）Ｒ２９
（式中、Ｒ２９は、請求項１に定義の通りである）；
（８）Ｘ１３Ｃ１−４アルキルＲ２８
（式中、Ｘ１３およびＲ２８は、請求項１に定義の通りである）；および
（９）Ｒ５４（Ｃ１−４アルキル）ｑ（Ｘ９）ｒＲ５５
（式中、ｑ、ｒ、Ｘ９、Ｒ５４およびＲ５５は、請求項１に定義の通りである）
の内の一つより選択される式Ｉｂの化合物またはその塩は、式ＩＸ
【化１１】
2004505965.tif 000005
（式中、環Ｃ、Ｒｂ、Ｒ１、Ｒ２およびｎは、請求項１に定義の通りであり、Ｇ１、Ｇ２、Ｇ３、Ｇ４およびＧ５は全て−ＣＨ−であり、Ｚｂは請求項３に定義の通りであり、Ｌ１およびｓは、本請求項中に定義の通りである）
を有する化合物と、式Ｘ
Ｒ６２−Ｈ          （Ｘ）
（式中、Ｒ６２は、本請求項中に定義の通りである）
を有する化合物とを反応させることによって製造することができる；
（ｅ）一つまたはそれを越える置換基（Ｒ２）ｍが−ＮＲ７６Ｒ７７によって表され、但し、Ｒ７６およびＲ７７の一方（もう一方は水素である）または両方がＣ１−３アルキルである式Ｉｂの化合物またはその塩は、置換基（Ｒ２）ｍがアミノ基である式Ｉの化合物およびアルキル化剤の反応によって生じることができる；
（ｆ）Ｘ１が−ＳＯ−または−ＳＯ２−である式Ｉｂの化合物またはその塩は、Ｘ１が−Ｓ−または−ＳＯ−である（Ｘ１が−ＳＯ２−である場合、最終生成物中で必要とされる）該当する化合物から、酸化によって製造することができる；そして式Ｉｂの化合物の塩が必要とされる場合、得られた化合物と酸または塩基との反応によって所望の塩を得ることを含む方法。
【手続補正書】
【提出日】平成15年3月24日(2003.3.24)
【手続補正１】
【補正対象書類名】明細書
【補正対象項目名】特許請求の範囲
【補正方法】変更
【補正の内容】
【特許請求の範囲】
【請求項１】
機能性消化不良を治療、軽減または予防する医薬を製造するためのリパーゼ阻害物質の使用。
【請求項２】
機能性消化不良の治療、軽減または予防が、食事摂取後の膨満強度、悪心、鼓張、胃の不快感を軽減することを含む、請求項１記載の使用。
【請求項３】
リパーゼ阻害物質がオルリスタットである、請求項１〜２のいずれか記載の使用。
【請求項４】
有効量のリパーゼ阻害物質を含有することを特徴とする、機能性消化不良を治療または予防するための内用薬。
【請求項５】
リパーゼ阻害物質がオルリスタットである、請求項４記載の内用薬。
【手続補正書】
【提出日】平成15年2月6日(2003.2.6)
【手続補正１】
【補正対象書類名】明細書
【補正対象項目名】特許請求の範囲
【補正方法】変更
【補正の内容】
【特許請求の範囲】
【請求項１】
リファンピシン及び／又はイソニアジドを含む経口用抗結核剤の医薬組成物であって、リファンピシン及び／又は他の薬剤のバイオアベイラビリディが高められている、前記組成物。
【請求項２】
リファンピシン及び／又はイソニアジドを含む経口用抗結核剤の医薬組成物であって、イソニアジドの存在に起因する分解を阻止することによりリファンピシンのバイオアベイラビリディが高められている、前記組成物。
【請求項３】
リファンピシンとイソニアジドが溶液状態で相互に接触しない、請求項１記載の組成物。
【請求項４】
リファンピシンとイソニアジドがｐＨ １〜４の溶液状態で相互に接触しない、請求項１記載の組成物。
【請求項５】
リファンピシンが、ｐＨ １〜４でリファンピシンの最少量が溶解するように徐放性及び／又は持続性剤形にある、請求項１記載の組成物。
【請求項６】
イソニアジドが、ｐＨ １〜４で薬剤の最少量が溶解するように徐放性及び／又は持続性剤形にある、請求項１記載の組成物。
【請求項７】
リファンピシン及び／又はイソニアジドの薬剤をフタル酸酢酸セルロース、ヒドロキシプロピルメチルセルロースフタレート、ポリ酢酸ビニルフタレート、ヒドロキシプロピルメチルセルロース酸スクシネート、アルギン酸、メタクリル酸ポリマー、カルボマー、ポラクリリンカリウム又はキトサンを含むｐＨ感受性ポリマーで処理することにより、徐放性リファンピシン及び／又はイソニアジドが得られる、請求項１〜６のいずれか１項に記載の組成物。
【請求項８】
リファンピシン及び／又はイソニアジドがｐＨ感受性ポリマーと共に分子分散液の形にあり、その結果、徐放性薬剤となる、請求項１〜７のいずれか１項に記載の組成物。
【請求項９】
リファンピシン及び／又はイソニアジドの薬剤をセルロース、ヒドロキシプロピルメチルセルロース、ヒドロキシプロピルセルロース、ヒドロキシエチルセルロース、エチルセルロース、天然ゴムを含むｐＨ依存性ポリマーで処理することにより、持続性のリファンピシン及び／又はイソニアジドが得られる、請求項１〜８のいずれか１項に記載の組成物。
【請求項１０】
該薬剤が個々の単位剤形にあるキット形で投薬される、請求項１〜９のいずれか１項に記載の組成物。
【請求項１１】
リファンピシン及び／又はイソニアジドが微粉化した形にある、請求項１〜１０のいずれか１項に記載の組成物。
【請求項１２】
ｐＨ １〜４における溶解性が低下したリファンピシン及び／又はイソニアジドの結晶形又は多形態を含んでいる、請求項１〜１１のいずれか１項に記載の組成物。
【請求項１３】
胃の内容物のｐＨを３より上げる緩衝剤を含んでいる、請求項１〜１２のいずれか１項に記載の組成物。
【請求項１４】
生物学的利用能増強剤及びアーユルヴェーダ製剤を含んでいる、請求項１〜１３のいずれか１項に記載の組成物。
【請求項１５】
高速、低コスト製造が受け入れられやすく、錠剤、カプセル剤、懸濁液、香錠、ゼリー又は再構成用粉末の剤形で投与しやすい、請求項１〜１４のいずれか１項に記載の組成物。
【請求項１６】
該錠剤がフィルムコーティング錠、圧縮コーティング錠又は二重層錠である、請求項１５記載の組成物。
【請求項１７】
該抗結核剤が味中和形にある、請求項１記載の組成物。
【請求項１８】
リファンピシン及び／又はイソニアジドのバイオアベイラビリティを高める段階を含んでいる、請求項１記載の医薬組成物の調製方法。
【請求項１９】
イソニアジドの存在に起因する分解を阻止することによりリファンピシンのバイオアベイラビリディが高められる、請求項１８記載の方法。
【請求項２０】
リファンピシンとイソニアジドが溶液状態で相互に接触しない、請求項１８記載の方法。
【請求項２１】
リファンピシン及び／又はイソニアジドの薬剤が「徐放性剤形」又は「持続性剤形」に製造される、請求項１８記載の方法。
【請求項２２】
リファンピシン及び／又はイソニアジドの薬剤が慣用法により慣用のポリマーによるマイクロスフェアを形成することにより「徐放性剤形」又は「持続性剤形」に製造される、請求項２１記載の方法。
【請求項２３】
リファンピシン及び／又はイソニアジドの薬剤をフタル酸酢酸セルロース、ヒドロキシプロピルメチルセルロースフタレート、ポリ酢酸ビニルフタレート、ヒドロキシプロピルメチルセルロース酸スクシネート、アルギン酸、メタクリル酸ポリマー、カルボマー、ポラクリリン又はキトサンを含むｐＨ感受性ポリマーで処理することにより、徐放性のリファンピシン及び／又はイソニアジドが得られる、請求項１８〜２２のいずれか１項に記載の方法。
【請求項２４】
リファンピシン及び／又はイソニアジドの薬剤をセルロース、ヒドロキシプロピルメチルセルロース、ヒドロキシプロピルセルロース、ヒドロキシエチルセルロース、エチルセルロース、天然ゴムを含むｐＨ依存性ポリマーで処理することにより、持続性のリファンピシン及び／又はイソニアジドが得られる、請求項１８〜２３のいずれか１項に記載の方法。
【請求項２５】
リファンピシン及び／又はイソニアジドの薬剤が微粉化した形にある、請求項１８〜２４のいずれか１項に記載の方法。
【請求項２６】
リファンピシン及び／又はイソニアジドの薬剤が味を中和した形にある、請求項１８〜２５のいずれか１項に記載の方法。
【請求項２７】
ｐＨ １〜４における溶解性が低下したリファンピシン及び／又はイソニアジドの結晶形又は多形態が用いられる、請求項１８〜２６のいずれか１項に記載の方法。
【請求項２８】
胃の内容物のｐＨを３より上げるために慣用の緩衝剤を該組成物に添加する、請求項１８〜２７のいずれか１項に記載の組成物。
【請求項２９】
生物学的利用能増強剤及びアーユルヴェーダ製剤が該組成物に添加される、請求項１８〜２８のいずれか１項に記載の方法。
【請求項３０】
調製した該組成物が錠剤、カプセル剤、懸濁液、香錠、ゼリー又は再構成用粉末に既知の方法で形成される、請求項１８〜２９のいずれか１項に記載の方法。
【手続補正書】
【提出日】平成15年4月9日(2003.4.9)
【手続補正１】
【補正対象書類名】明細書
【補正対象項目名】特許請求の範囲
【補正方法】変更
【補正の内容】
【特許請求の範囲】
【請求項１】
下記式を有する化合物およびその薬学的に許容される塩：
【化１】
2004505986.tif 000001
式中、
Xは-O-および-NH-からなる群より選択されるメンバーであり；
Yは-O-および-S-からなる群より選択されるメンバーであり；
R1、R2、およびR3はそれぞれ独立して（C2〜C24）アシルからなる群より選択されるメンバーであり；
R4は、-Hおよび-PO3R7R8からなる群より選択されるメンバーであって、但し、R7およびR8は、それぞれ独立して-Hおよび（C1〜C4）アルキルからなる群より選択されるメンバーであり；
R5は、-H、-CH3、および-PO3R9R10からなる群より選択されるメンバーであって、但し、R9およびR10は、それぞれ独立して-Hおよび（C1〜C4）アルキルからなる群より選択されるメンバーであり；
R6は、H、OH、（C1〜C4）アルコキシ、-PO3R11R12、-OPO3R11R12、-SO3R11、-OSO3R11、-NR11R12、-SR11、-CN、-NO2、-CHO、-CO2R11、および-CONR11R12から選択され、但し、R4が-PO3R7R8であり、R5が-PO3R9R10以外である場合、R11およびR12は、それぞれ独立してHおよび（C1〜C4）アルキルから選択され；
「＊1」、「＊2」、「＊3」、および「＊＊」は、キメラ中心を示し、
pとmの合計が0から6である場合、下付き文字n、m、p、およびqは、それぞれ独立して0から6の整数である。
【請求項２】
XおよびYが-O-であり、R4がPO3R7R8であり、R5およびR6がHであり、且つ下付き文字n、m、p、およびqが0から3の整数である、請求項1に記載の化合物。
【請求項３】
R7およびR8が-Hである、請求項2に記載の化合物。
【請求項４】
下付き文字n、m、p、およびqが0から2である、請求項3に記載の化合物。
【請求項５】
下付き文字nが1であり、下付き文字mが2であり、且つ下付き文字pおよびqが0である、請求項3に記載の化合物。
【請求項６】
R1、R2、およびR3がテトラデカノイル残基である、請求項5に記載の化合物。
【請求項７】
＊1、＊2、および＊3がR配置である、請求項5に記載の化合物。
【請求項８】
Yが赤道面位置で存在する、請求項5に記載の化合物。
【請求項９】
＊＊がS配置である、請求項5に記載の化合物。
【請求項１０】
＊1、＊2、および＊3がR配置であり、Yが赤道面位置で存在し、且つ＊＊がS配置である、請求項5に記載の化合物。
【請求項１１】
薬学的に許容される担体および請求項1〜10のいずれか一項に記載の化合物を含む治療有効量の組成物を含む、薬学的組成物。
【請求項１２】
薬学的組成物が少なくとも1つの抗原をさらに含む、請求項11に記載の薬学的組成物。
【請求項１３】
抗原が、単純ヘルペスウイルス1型、単純ヘルペスウイルス2型、ヒトサイトメガロウイルス、HIV、A型、B型、C型、またはE型肝炎ウイルス、呼吸器合胞体ウイルス、ヒト乳頭腫ウイルス、インフルエンザウイルス、結核菌、リーシュマニア症、T.クルージ(T．Cruzi)、エールリヒア属、カンジダ属、サルモネラ属、ネイセリア属、ボレリア属、クラミジア属、ボルデテラ属、プラスモジウム属、およびトキソプラズマ属からなる群に由来する、請求項12に記載の薬学的組成物。
【請求項１４】
抗原がヒト腫瘍抗原である、請求項12に記載の薬学的組成物。
【請求項１５】
腫瘍抗原が、前立腺、結腸、乳房、卵巣、膵臓、脳、頭頸部、黒色腫、白血病、またはリンパ腫に由来する、請求項14に記載の薬学的組成物。
【請求項１６】
抗原が自己抗原である、請求項12に記載の薬学的組成物。
【請求項１７】
自己抗原が自己免疫疾患に関連する抗原である、請求項16に記載の薬学的組成物。
【請求項１８】
自己免疫疾患が、1型糖尿病、多発性硬化症、重症筋無力症、慢性関節リウマチ、または乾癬である、請求項17に記載の薬学的組成物。
【請求項１９】
水性製剤である、請求項11に記載の薬学的組成物。
【請求項２０】
水性製剤が1つまたは複数の界面活性剤を含む、請求項19に記載の薬学的組成物。
【請求項２１】
水性製剤が1つまたは複数のリン脂質界面活性剤を含む、請求項19に記載の薬学的組成物。
【請求項２２】
界面活性剤が、ジアシルホスファチジルグリセロール、ジアシルホスファチジルコリン、ジアシルホスファチジン酸、およびジアシルホスファチジルエタノールアミンからなる群より選択される、請求項21に記載の薬学的組成物。
【請求項２３】
界面活性剤が、ジミリストイルホスファチジルグリセロール（DPMG）、ジパルミトイルホスファチジルグリセロール（DPPG）、ジステアロイルホスファチジルグリセロール（DSPG）、ジミリストイルホスファチジルコリン（DPMC）、ジパルミトイルホスファチジルコリン（DPPC）、ジステアロイルホスファチジルコリン（DSPC）、ジミリストイルホスファチジン酸（DPMA）、ジパルミトイルホスファチジン酸（DPPA）、ジステアロイルホスファチジン酸（DSPA）、ジミリストイルホスファチジルエタノールアミン（DPME）、ジパルミトイルホスファチジルエタノールアミン（DPPE）、およびジステアロイルホスファチジルエタノールアミン（DSPE）からなる群より選択される、請求項21に記載の薬学的組成物。
【請求項２４】
乳濁製剤である、請求項11に記載の薬学的組成物。
【請求項２５】
請求項1〜24のいずれか一項に記載の化合物または組成物を被験体に投与する工程を含む、被験体の免疫応答を誘導する方法。
【請求項２６】
組成物が少なくとも1つの抗原をさらに含む、請求項25に記載の方法。
【請求項２７】
治療有効量の請求項1〜24のいずれか一項に記載の化合物または組成物を哺乳動物に投与する工程を含む、病原性感染症、癌、または自己免疫障害に罹患しているかこれらに感受性を示す哺乳動物の治療法。
【請求項２８】
組成物が少なくとも1つの抗原をさらに含む、請求項27に記載の方法。
【請求項２９】
治療有効量の請求項1〜24のいずれか一項に記載の化合物または組成物を被験体に接触させる工程を含む、被験体の一酸化窒素生成によって改善される疾患または状態の治療法。
【請求項３０】
化合物を虚血発症の約48時間前から虚血の発症時までの間に動物に投与する、請求項29に記載の方法。
【請求項３１】
化合物を虚血発症直前から虚血までに動物に投与する、請求項29に記載の方法。
【請求項３２】
化合物を虚血発症直前から再灌流までに動物に投与する、請求項29に記載の方法。
【請求項３３】
XおよびYが-O-であり、R4がPO3R7R8であり、R5およびR6がHであり、R7およびR8が-Hであり、下付き文字nが1であり、下付き文字mが2であり、且つ下付き文字pおよびqが0であり、R1、R2、およびR3がテトラデカノイル残基であり、＊1、＊2、および＊3がR配置であり、Yが赤道面位置で存在し、且つ＊＊がS配置である、請求項29に記載の方法。
【手続補正書】
【提出日】平成15年4月9日(2003.4.9)
【手続補正１】
【補正対象書類名】明細書
【補正対象項目名】特許請求の範囲
【補正方法】変更
【補正の内容】
【特許請求の範囲】
【請求項１】
精製されたＢ型肝炎表面抗原および製薬上許容される添加剤を含有するＢ型肝炎ワクチンの製造方法であって、該抗原はタンパク質20μgにつき0.025μg未満の水銀を含んでなり、該抗原は遊離SH基をもつ還元剤の存在下で精製されたものである、上記方法。
【請求項２】
前記ワクチンが保存剤を含まない、請求項１に記載の方法。
【請求項３】
保存剤がチオメルサールである、請求項２に記載の方法。
【請求項４】
前記肝炎抗原が水酸化アルミニウムに吸着されている、請求項１〜３のいずれか１項に記載の方法。
【請求項５】
粗製のＢ型肝炎抗原調製物が、
（ａ）  ゲル浸透クロマトグラフィーにかけられ、
（ｂ）  イオン交換クロマトグラフィーにかけられ、そして、
（ｃ）  遊離SH基をもつ還元剤と混合される、
請求項１〜４のいずれか１項に記載の方法。
【請求項６】
還元剤がシステイン、グルタチオン、ジチオトレイトールもしくはβメルカプトエタノールである、請求項１〜５のいずれか１項に記載の方法。
【請求項７】
還元剤がシステインである、請求項６に記載の方法。
【請求項８】
システインを1〜10 mMの最終濃度で添加する、請求項７に記載の方法。
【請求項９】
システインを約2 mMの最終濃度で添加する、請求項８に記載の方法。
【請求項１０】
前記抗原が、還元剤で処理する前に、チオメルサールの存在下で精製される、請求項１〜９のいずれか１項に記載の方法。
【請求項１１】
精製した抗原が完全にチオメルサールを含まない、請求項１〜９のいずれか１項に記載の方法。
【請求項１２】
前記ワクチンがチオメルサールフリーのワクチンである、請求項１１に記載の方法。
【請求項１３】
請求項１〜１２のいずれか１項に記載の方法により得られる、タンパク質20μgにつき0.025μg未満の水銀を含む精製されたＢ型肝炎表面抗原を含有するワクチン組成物。
【請求項１４】
アジュバントを含む、請求項１３に記載のワクチン組成物。
【請求項１５】
アジュバントがアルミニウム塩である、請求項１４に記載のワクチン組成物。
【請求項１６】
アルミニウム塩が水酸化アルミニウムである、請求項１５に記載のワクチン組成物。
【請求項１７】
TH-1誘発性アジュバントを含む、請求項１３〜１６のいずれか１項に記載のワクチン組成物。
【請求項１８】
TH-1誘発性アジュバントが3-DMPL、QS21、3-DMPLおよびQS21、ならびにCpGオリゴヌクレオチドを含む群から選択される、請求項１７に記載のワクチン組成物。
【請求項１９】
ジフテリアトキソイド（D）、破傷風トキソイド（T）、無細胞百日咳抗原（Pa）、不活化ポリオウイルス（IPV）、インフルエンザ菌(haemophilus influenza)抗原（Hib）、Ａ型肝炎抗原、単純ヘルペスウイルス（HSV）、クラミジア、GSB、HPV、肺炎連鎖球菌(streptococcus pneumoniae)およびナイセリア抗原からなる群から選択される抗原１種以上をさらに含む、請求項１３〜１８のいずれか１項に記載のワクチン組成物。
【請求項２０】
遊離SH基をもつ還元剤の存在下で精製することにより得られる、タンパク質20μgにつき0.025μg未満の水銀を含むＢ型肝炎表面抗原の、保存剤フリーの肝炎ワクチンの製造における使用。
【請求項２１】
ワクチンに使用するためのＢ型肝炎表面抗原の調製方法であって、遊離SH基をもつ還元剤の存在下で該抗原を精製することを含んでなり、その際、該還元剤で処理する前に該抗原をチオメルサールの存在下で精製する、上記方法。
【請求項２２】
精製された抗原産物がタンパク質20μgにつき0.025μg未満の水銀を含む、請求項２１に記載の方法。
【請求項２３】
粗製のＢ型肝炎抗原調製物を、
（ａ）  ゲル浸透クロマトグラフィーにかけ、
（ｂ）  イオン交換クロマトグラフィーにかけ、そして、
（ｃ）  遊離SH基をもつ還元剤と混合する、
請求項２１または２２に記載の方法。
【請求項２４】
還元剤がシステイン、グルタチオン、ジチオトレイトールもしくはβメルカプトエタノールである、請求項２１〜２３のいずれか１項に記載の方法。
【請求項２５】
遊離SH基をもつ還元剤の存在下で精製することにより得られる、タンパク質20μgにつき0.025μg未満の水銀を含む免疫原性Ｂ型肝炎抗原であって、該還元剤で処理する前にチオメルサールの存在下で精製される、上記Ｂ型肝炎抗原。
【請求項２６】
請求項２５に記載のＢ型肝炎抗原を含有するワクチン。
【請求項２７】
Ｂ型肝炎感染に罹患しているか該感染に罹りやすいヒトまたは動物に、安全かつ有効な量の請求項１３〜１９および２６のいずれか１項に記載のワクチンを投与することを含んでなる、Ｂ型肝炎ウイルス感染の治療および／または予防方法。
【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】  製薬学的に許容可能な担体と、少なくとも一つの裸の抗顆粒球抗体とを含む骨髄性白血病の治療において使用するための治療用組成物であって、該抗顆粒球抗体が抗ＮＣＡ−９０抗体または抗ＮＣＡ−９５抗体である治療用組成物。
【請求項２】  製薬学的に許容可能な担体と、少なくとも一つの裸の抗顆粒球抗体とを含む骨髄性白血病の治療において使用するための治療用組成物であって、ＭＮ−３、ＭＮ−２、ＭＮ−１５、ＮＰ−１またはＮＰ−２である治療用組成物。
【請求項３】  抗ＣＤ３３抗体をさらに含む請求項１または２に記載の組成物。
【請求項４】  前記抗ＣＤ３３抗体がＭ−１９５である請求項３に記載の組成物。
【請求項５】  抗ＣＤ１５抗体をさらに含む請求項１〜４のいずれかに記載の組成物。
【請求項６】  慢性骨髄性白血病（ＣＭＬ）の治療において使用するための請求項１〜５のいずれかに記載の組成物。
【請求項７】  骨髄芽球の表面に最小限に表示される抗体の発現を誘導する誘導物質をさらに含む、患者における急性骨髄性白血病（ＡＭＬ）または急性前骨髄性白血病（ＡＰＭＬ）の治療において使用するための請求項１〜５のいずれかに記載の組成物。
【請求項８】  前記抗顆粒球抗体が、ヒトより下等な霊長類抗体、マウスモノクローナル抗体、キメラ抗体、ヒト化抗体またはヒト抗体からなる群から選択される、請求項１〜７のいずれかに記載の組成物。
【請求項９】  前記裸の抗体の前に、同時にまたは後に投与するための免疫複合体をさらに含む請求項１〜８のいずれかに記載の組成物。
【請求項１０】  前記免疫複合体が、インターロイキン−１（ＩＬ−１）、ＩＬ−２、ＩＬ−３、ＩＬ−６、ＩＬ−１０、ＩＬ−１２、インターフェロン−α、インターフェロン−β、インターフェロン−γ、Ｇ−ＣＳＦまたはＧＭ−ＣＳＦをさらに含む、請求項９に記載の組成物。
【請求項１１】  前記免疫複合体が放射性標識されている請求項９または１０に記載の組成物。
【請求項１２】  前記放射性標識された免疫複合体が、198Ａｕ、32Ｐ、125Ｉ、131Ｉ、90Ｙ、186Ｒｅ、188Ｒｅ、67Ｃｕ、211Ａｔ、213Ｂｉ、または225Ａｃである核種を含む請求項１１に記載の組成物。
【請求項１３】  前記免疫複合体が抗体融合タンパク質である請求項９に記載の組成物。
【請求項１４】  前記抗体融合タンパク質が、抗体と免疫活性調節因子との融合タンパク質、または抗体と毒素との融合タンパク質である請求項１３に記載の組成物。
【請求項１５】  前記抗体融合タンパク質が、異なる抗体成分の多価の組み合わせ、または同じ抗体成分の複数のコピーである請求項１３に記載の組成物。
【請求項１６】  前記免疫複合体が、（ｉ）抗ＮＣＡ−９０抗体とリボヌクレアーゼとの複合体または（ｉｉ）抗ＣＤ３３抗体とカリチェアミシンとの複合体である請求項９に記載の組成物。
【請求項１７】  前記裸の抗体の前に、同時にまたは後に投与するための化学療法剤をさらに含む請求項１〜９のいずれかに記載の組成物。
【請求項１８】  前記化学療法剤が、ダウノルビシン、シタラビン、６−チオグアニン、ミトキサントロン、ジアジクオン、イダルビシン、ホモハリントニン、アムサクリン、ブスルファン、ヒドロキシウレア、シクロホスファミド、エトポシド、ビンクリスチン、プロカルバジン、プレドニゾン、カルムスチン、ドキソルビシン、メトトレキセート、ブレオマイシン、デキサメタゾン、酪酸フェニル、ブロスタチン−１、カリチェアミシン、またはロイコボリンである請求項１７に記載の組成物。
【請求項１９】  二つ以上の裸の抗顆粒球抗体を含む請求項１〜１８のいずれかにに記載の組成物。
【請求項２０】  標的化される抗原または複数の標的化される抗原の発現を増強する誘導物質をさらに含む請求項１〜１９のいずれかに記載の組成物。
【請求項２１】  前記誘導物質がレチノイン酸または酸化ヒ素である、請求項７またはその従属項に従属する場合の請求項２０に記載の組成物。
【手続補正書】
【提出日】平成15年5月28日(2003.5.28)
【手続補正１】
【補正対象書類名】明細書
【補正対象項目名】特許請求の範囲
【補正方法】変更
【補正の内容】
【特許請求の範囲】
【請求項１】
調節因子に操作可能に連結した、目的のポリペプチドをコードする核酸を包含するベクター；並びに
下記からなる群より選ばれてなる１種以上の成分
ｉ）    ｇＤ蛋白質；
ｉｉ）  ｇＤ蛋白質の機能的断片；
ｉｉｉ）調節因子に操作可能に連結した、ｇＤ蛋白質をコードする核酸；及び
ｉｖ）  調節因子に操作可能に連結した、ｇＤ蛋白質の機能的断片をコードする核酸
を包含する組成物。
【請求項２】
調節因子に操作可能に連結した、ｇＤ蛋白質をコードする核酸を包含する、請求項１に記載の組成物。
【請求項３】
ｇＤ蛋白質と目的のポリペプチドとをコードする核酸を包含する、請求項２に記載の組成物。
【請求項４】
ｇＤ蛋白質を包含する、請求項１に記載の組成物。
【請求項５】
該ｇＤ蛋白質がベクター内に組み込まれていることを特徴とする、請求項４に記載の組成物。
【請求項６】
該ベクターがウイルスベクターであることを特徴とする、請求項１〜５のいずれかに記載の組成物。
【請求項７】
該目的のポリペプチドがヒトポリペプチドであることを特徴とする、請求項１〜６のいずれかに記載の組成物。
【請求項８】
該ｇＤがＨＳＶ−１ｇＤであることを特徴とする、請求項１〜７のいずれかに記載の組成物。
【請求項９】
該ｇＤがＨＳＶ−２ｇＤであることを特徴とする、請求項１〜８のいずれかに記載の組成物。
【請求項１０】
請求項１〜９のいずれかの組成物より成る、免疫応答抑制剤。
【手続補正書】
【提出日】平成15年2月26日(2003.2.26)
【手続補正１】
【補正対象書類名】明細書
【補正対象項目名】特許請求の範囲
【補正方法】変更
【補正の内容】
【特許請求の範囲】
【請求項１】
光化学治療または診断に使用するための、下記式（Ｉ）の化合物、または製薬上許容されるその塩：
【化１】
2004505105.tif 000001
（式（Ｉ）中、Ｒ1は１以上のアリール基で置換されたＣ1またはＣ2アルキル基を表し、Ｒ2はそれぞれ独立に水素原子または置換されていてもよいアルキル基を表す。）。
【請求項２】
基Ｒ1において、前記アルキル基は、その末端で該アリール基により置換されていることを特徴とする、請求項１に記載の化合物。
【請求項３】
基Ｒ1において、前記アルキル基がメチルであることを特徴とする、請求項１または２に記載の化合物。
【請求項４】
前記アリール基が、１以上の、アルキル基（例えばＣ1-2アルキル基）、アルコキシ基（例えばメトキシ基）、フルオロ基、クロロ基、ニトロ基またはトリフルオロメチル基で置換されていることを特徴とする、請求項１〜３のいずれかに記載の化合物。
【請求項５】
前記アリール基が、フェニル基、ジフェニル基または単環式５〜７員複素芳香環基、好ましくはフェニル基であることを特徴とする、請求項１〜４のいずれかに記載の化合物。
【請求項６】
前記複素芳香環基がピリジニル基であることを特徴とする、請求項５に記載の化合物。
【請求項７】
それぞれのＲ2が水素原子を表すことを特徴とする、請求項１〜６のいずれかに記載の化合物。
【請求項８】
下記式（Ｉ）の化合物、または製薬上許容されるその塩：
【化２】
2004505105.tif 000002
（式（Ｉ）中、Ｒ1は、アリール基で置換されたＣ1またはＣ2アルキル基、好ましくは複素芳香環ではないアリール基で置換されたＣ1またはＣ2アルキル基を表し、ここで該アリール基は置換されており、とりわけ好ましくは、１以上の、アルキル基（たとえばＣ1-2アルキル基）、アルコキシ基（たとえばメトキシ基）、フルオロ基、クロロ基、ニトロ基またはトリフルオロメチル基で置換されており；
Ｒ2は、それぞれ同一でも異なっていてもよく、水素原子または置換されていてもよいアルキル基（例えばＲ1基）を表し；
上記の置換基は、ヒドロキシル基、アルコキシ基、アシロキシ基、アルコキシカルボニルオキシ基、アミノ基、アリール基、ニトロ基、オキソ基、フルオロ基、−ＳＲ3、−ＮＲ32および−ＰＲ32より選択され、前記アルキル基は１以上の、−Ｏ−、−ＮＲ3−、−Ｓ−または−ＰＲ3−で中断されていてもよい；
Ｒ3は水素原子またはＣ1-6アルキル基を表す。）。
【請求項９】
前記アリール基が、フェニル基、ジフェニル基または単環式５〜７員複素芳香環基、好ましくはフェニル基であることを特徴とする、請求項８に記載の化合物。
【請求項１０】
それぞれのＲ2が水素原子を表すことを特徴とする、請求項８または９に記載の化合物。
【請求項１１】
基Ｒ1において、前記アリール基がフェニル基であり、前記アルキル基がメチルであることを特徴とする、請求項１０に記載の化合物。
【請求項１２】
ＡＬＡ−ｐ−メチルベンジルエステル、ＡＬＡ−ｐ−ニトロベンジルエステル、ＡＬＡ−ｐ−[トリフルオロメチル]ベンジルエステル、ＡＬＡ−ｐ−フルオロベンジルエステル、ＡＬＡ−４−クロロベンジルエステル、ＡＬＡ−３−メチルベンジルエステルおよびＡＬＡ−２−メチルベンジルエステルから選択される、請求項８に記載の化合物。
【請求項１３】
光化学治療または診断に使用するための、ＡＬＡベンジルエステルまたは請求項１２に記載の化合物。
【請求項１４】
以下の工程のうち少なくとも一つを含む、請求項８〜１２のいずれかに記載の化合物の製造方法：
（ａ）下記式（II）の化合物
【化３】
2004505105.tif 000003
（式（II）中、Ｘは脱離基（例えばヒドロキシル基、ハロゲン原子またはアルコキシ基）を表すか、またはＣＯＸは酸無水基を表す。Ｒ2は請求項１１の定義と同じ意味である。）
と、下記式（III）の化合物
【化４】
2004505105.tif 000004
（式（III）中、Ｒ1は請求項１１の定義と同じ意味である。）
とを反応させる工程；および
（ｂ）上記式（Ｉ）の化合物を、製薬上許容されるその塩に変換する工程。
【請求項１５】
請求項１〜１３のいずれかに定義された化合物または製薬上許容されるその塩を、少なくとも一つの製薬上許容される担体または賦型剤とともに含む、製薬組成物。
【請求項１６】
光化学治療に用いられる治療剤または診断に用いられる診断剤を製造するために、請求項１〜１３のいずれかに定義された化合物または製薬上許容されるその塩の使用の方法。
【請求項１７】
診断の光化学治療は、光化学治療に応答する身体の外部または内部表面の疾患または異常に対して行われることを特徴とする、請求項１６に記載の使用の方法。
【請求項１８】
光化学治療に応答する身体の外部または内部表面の疾患または異常を処置する際に同時に、別個にまたは逐次的に使用するための組み合わせ調製物として、請求項１〜１３のいずれかに定義された化合物または製薬上許容されるその塩を、少なくとも一つの表面浸透助剤および必要に応じて１以上のキレート剤とともに含む製品。
【請求項１９】
ａ）請求項１〜１３のいずれかに定義された化合物または製薬上許容されるその塩を含有する第１容器、
ｂ）少なくとも一つの表面浸透助剤を含有する第２容器；および所望により
ｃ）上記第１容器または第３容器のいずれかの中に含有される１以上のキレート化剤
を含む、身体の外部または内部表面の疾患または異常の光化学治療に用いるためのキット。
【請求項２０】
少なくとも以下の工程：
ｉ) 患者の体液または組織を、請求項１〜１３のいずれかに定義された化合物と混合すること、
ii) 該混合物を光に曝すこと、
iii) 蛍光レベルを確定すること、および
iv) この蛍光レベルと対照レベルとを比較すること
を含む、患者の体液または組織のサンプルをアッセイすることによる異常または疾患のインビトロ検査方法。
【手続補正書】
【提出日】平成15年1月23日(2003.1.23)
【手続補正１】
【補正対象書類名】明細書
【補正対象項目名】特許請求の範囲
【補正方法】変更
【補正の内容】
【特許請求の範囲】
【請求項１】
中空包囲体と、空気フィルタと、付勢されたときに、エンジンに供給された空気を圧縮する空気圧縮機とを有し、前記包囲体は空気フィルタおよび圧縮機を収容し、包囲体への空気入口から空気フィルタを介して包囲体からの空気出口まで、包囲体を通るエンジン空気供給経路を有し、包囲体入口および包囲体出口は、それぞれ、空気供給経路の上流側端部および空気供給経路の下流側端部を形成し、前記圧縮機は振動遮断弾性マウントにより包囲体内に固定されることを特徴とする内燃機関に空気を供給する空気取入れ装置。
【請求項２】
前記空気圧縮機を収容する包囲体は、空気圧縮機の上流側に空気フィルタを保持する仕切り板により分割され、仕切り板はまた、空気が空気フィルタを通過した後に、空気圧縮機への入口に空気が流入できるようにする空気入口手段を備えている請求項１記載の空気取入れ装置。
【請求項３】
前記空気入口手段は、圧縮機をハウジング内に固定しおよび／または整合させることを補助しかつ振動遮断弾性マウントを有している請求項２記載の空気取入れ装置。
【請求項４】
前記圧縮機は空気出口を有し、該空気出口は、振動遮断弾性空気導管を介してハウジングの一部に連結されている請求項１記載の空気取入れ装置。
【請求項５】
前記振動遮断弾性マウントが介在される部分を除き、圧縮機とハウジングとの間には空気ギャップが設けられる請求項１記載の空気取入れ装置。
【手続補正書】
【提出日】平成15年1月23日(2003.1.23)
【手続補正１】
【補正対象書類名】明細書
【補正対象項目名】特許請求の範囲
【補正方法】変更
【補正の内容】
【特許請求の範囲】
【請求項１】
中空包囲体と、自動車のバッテリと、エンジンに供給された空気を圧縮する空気圧縮機とを有し、前記包囲体は隔壁により部分的にバッテリ隔室および圧縮機隔室に分割され、バッテリ隔室は自動車のバッテリを収容しかつ圧縮機隔室は空気圧縮機を収容し、包囲体を通るエンジン空気供給経路と、包囲体への空気入口および包囲体からの空気出口とを有し、包囲体入口および包囲体出口は、それぞれ、空気供給経路の上流側端部および空気供給経路の下流側端部を形成し、前記空気供給経路が前記隔室を通って延びており、第一アクセスパネルおよび第二アクセスパネルを更に有し、各アクセスパネルは着脱可能に包囲体に取り付けられ、第一アクセスパネルはバッテリ隔室へのアクセスを可能にし、第二アクセスパネルは圧縮機隔室へのアクセスを可能にすることを特徴とする内燃機関に空気を供給する空気取入れ装置。
【請求項２】
空気フィルタを更に有し、該空気フィルタは圧縮機隔室内の空気供給経路を横切って延びている請求項１記載の空気取入れ装置。
【請求項３】
前記圧縮機隔室は空気フィルタを収容する請求項２記載の空気取入れ装置。
【請求項４】
前記第二アクセスパネルは空気圧縮機および空気フィルタの両方へのアクセスを可能にする請求項２記載の空気取入れ装置。
【請求項５】
前記バッテリは、該バッテリから電力を供給するための電気ターミナルを有し、該バッテリターミナルはバッテリから離れる方向に延びており、前記第一アクセスパネルはバッテリターミナルが包囲体の外部へと出ることができるように構成され、バッテリターミナルには、バッテリから電力を取り出す電気的接続を行なうことができる請求項１記載の空気取入れ装置。
【請求項６】
前記隔壁は貫通通路を有し、該通路は、使用時に、冷却空気流を空気圧縮機の１つ以上の外面上に指向させる請求項１記載の空気取入れ装置。
【請求項７】
前記隔壁の貫通通路は、冷却空気流を空気圧縮機に指向させるように配置された１つ以上のベーンを有している請求項６記載の空気取入れ装置。
【手続補正書】
【提出日】平成15年1月23日(2003.1.23)
【手続補正１】
【補正対象書類名】明細書
【補正対象項目名】特許請求の範囲
【補正方法】変更
【補正の内容】
【特許請求の範囲】
【請求項１】
中空包囲体と、空気フィルタと、付勢されたときに、エンジンに供給された空気を圧縮する空気圧縮機とを有し、前記包囲体は空気フィルタおよび圧縮機を収容し、包囲体への空気入口から空気フィルタを介して包囲体からの空気出口まで、包囲体を通るエンジン空気供給経路を有し、包囲体入口および包囲体出口は、それぞれ、空気供給経路の上流側端部および空気供給経路の下流側端部を形成し、前記空気圧縮機を収容する包囲体は、空気圧縮機の上流側に空気フィルタを保持する仕切り板により分割され、仕切り板はまた、空気が空気フィルタを通過した後に、空気圧縮機への入口に空気が流入できるようにする空気入口手段を備えており、前記空気フィルタは、これと一致する形状の仕切り板の孔内に着脱可能に保持されることを特徴とする空気取入れ装置。
【請求項２】
前記包囲体は、該包囲体に着脱可能に取り付けられるアクセスパネルを有し、該アクセスパネルは、空気フィルタにアクセスして該フィルタを交換できるように、包囲体から取り外すことができる請求項１記載の空気取入れ装置。
【請求項３】
前記アクセスパネルは仕切り板上に配置される請求項２記載の空気取入れ装置。
【請求項４】
前記空気入口手段は、空気圧縮機への空気入口と係合して、空気圧縮機を包囲体内で整合させる請求項１記載の空気取入れ装置。
【請求項５】
前記包囲体内の自動空気バイパス手段を更に有し、該自動空気バイパス手段は、空気圧縮機が付勢されているときは空気供給経路内の空気を空気圧縮機に指向させ、空気圧縮機が付勢されないときは空気供給経路内の空気を空気圧縮機からバイパスさせる請求項１記載の空気取入れ装置。
【請求項６】
前記空気バイパス手段は仕切り板に組込まれる請求項５記載の空気取入れ装置。
【手続補正書】
【提出日】平成15年1月23日(2003.1.23)
【手続補正１】
【補正対象書類名】明細書
【補正対象項目名】特許請求の範囲
【補正方法】変更
【補正の内容】
【特許請求の範囲】
【請求項１】
中空包囲体と、自動車のバッテリと、空気フィルタと、付勢されたときにエンジンへの供給空気を圧縮する空気圧縮機とを有し、前記包囲体はバッテリ、空気フィルタおよび圧縮機を収容し、包囲体への空気入口から包囲体からの空気出口まで、空気フィルタを介して包囲体を通るエンジン空気供給経路を有し、前記包囲体入口および包囲体出口は、それぞれ、空気供給経路の上流側端部および空気供給経路の下流側端部を形成し、前記包囲体内の自動空気バイパスを有し、該自動空気バイパスは、空気圧縮機が付勢されたときは空気供給経路内の空気を空気圧縮機に指向させ、かつ空気圧縮機が付勢されないときは空気供給経路内の空気を空気圧縮機からバイパスさせることができることを特徴とする内燃機関に空気を供給する空気取入れ装置。
【請求項２】
前記空気バイパスは、包囲体内の空気圧力差に基いて自動的に作動する受動弁を有する請求項１記載の空気取入れ装置。
【請求項３】
前記受動弁は、弾性的に閉位置に押圧されていて、圧縮機が付勢されると空気供給経路内の空気圧の作用により開かれる可撓性フラップ弁である請求項２記載の空気取入れ装置。
【請求項４】
前記空気バイパスはディフューザチャンバを有し、空気圧縮機が完全に付勢されないときに、バイパスされた空気がディフューザチャンバ内に流入し、ディフューザチャンバは、バイパスされた空気と空気圧縮機により排出された空気とを混合させる出口を備えている請求項１記載の空気取入れ装置。
【請求項５】
前記ディフューザチャンバは出口孔を有し、空気圧縮機は、ディフューザチャンバを通って延びる出口パイプを備えた出口を有し、出口パイプは出口を有し、該出口は、この出口および前記出口孔の周囲にギャップを形成して前記出口孔により包囲されている請求項４記載の空気取入れ装置。
【手続補正書】
【提出日】平成15年3月27日(2003.3.27)
【手続補正１】
【補正対象書類名】明細書
【補正対象項目名】０００１
【補正方法】変更
【補正の内容】
【０００１】
政府が後援による研究あるいは開発に関する記述
この仕事はOffice of Naval Research, Grant No. ONR N00014-99-1-0406を通じてDARPAから資金を提供されて支援を受けた。
CD-ROMの付録に対する言及と37 C.F.R§1.52(e)(5)による記述
【手続補正書】
【提出日】平成15年4月7日(2003.4.7)
【手続補正１】
【補正対象書類名】明細書
【補正対象項目名】特許請求の範囲
【補正方法】変更
【補正の内容】
【特許請求の範囲】
【請求項１】
複数レベルの組織のモデルに従って、関係者の組から予測データを取り込むステップと、
アナリストの組から目標データを取り込むステップと、
前記組織のモデルに従って、目標データと予測データとを合致させるステップと、
合致した予測データに基づいて、予算レポートを生成するステップとを、
備えたことを特徴とする方法。
【請求項２】
前記組織のモデルに従って、目標データと予測データとを合致させるステップは、
前記モデルのカレントレベルに対応した１人以上の関係者を選択すること、
前記目標データ及び前記予測データを、選択された関係者に提示すること、
選択された関係者から、前記予測データを承認又は却下する校閲情報を受信すること、並びに、
前記校閲情報に基づいて、組織の階層のカレントレベルを更新することを、
含むことを特徴とする請求項１記載の方法。
【請求項３】
前記モデルは、階層的に配列された複数のノードを含み、各ノードは１人以上の関係者に対応し、前記組織のモデルに従って、目標データと予測データとを合致させるステップは、
前記関係者から校閲の入力を受信すること、及び、
前記校閲の入力に基づいて、前記予測データを、前記階層的なモデルの上方へ伝達することを、含む
ことを特徴とする請求項１記載の方法。
【請求項４】
関係者の組、アナリストの組、及び複数レベルの組織のモデルを規定したデータを格納するように構成されたデータベースであって、前記モデルが、階層的に配列された複数のノードを有し、各ノードが、少なくとも１人の関係者に対応しているデータベースと、
予測データを前記関係者から取り込むとともに目標データを前記アナリストから取り込み、前記モデルに従って、前記目標データと前記予測データとを合致させるように構成されたサーバとを、
備えたことを特徴とする組織の予算編成システム。
【請求項５】
前記サーバは、前記予測データを前記モデルの下位レベルのノードに対応した関係者から取り込むことにより、前記モデルに従って前記予測データを取り込むとともに、前記モデルの上位レベルのノードの関係者から校閲の入力を取り込むように構成され、さらに、前記サーバは、カレントレベルのノードに対応した全関係者が前記予測データを承認した場合に、カレントレベルをインクリメントし、カレントレベルのノードに対応した少なくとも１人の関係者が前記予測データを却下した場合に、カレントレベルをデクリメントすることにより、前記校閲の情報に基づいて、合致のために、関係者の組における一部分に対して、前記予測データ及び前記目標データを選択的に提示することを特徴とする請求項４記載のシステム。
【誤訳訂正書】
【提出日】平成16年9月13日(2004.9.13)
【誤訳訂正１】
【訂正対象書類名】明細書
【訂正対象項目名】請求項１
【訂正方法】変更
【訂正の内容】
【請求項１】
水道、ガスおよび電気メータからの読取り値の自動収集および自動送信をするシステムであって、
メータからの読取り値を送信するための少なくとも１つの要素および前記読取り値を受信する少なくとも１つの要素を含み、
前記少なくとも１つの送信装置は、マイクロコントローラサブシステムによって処理されるようにメータからの信号を適合させるインタフェースサブシステムを含み、このマイクロコントローラサブシステムはソフトウェアアプリケーションを実行し、メータの読取り値をRF送信サブシステムから或る領域にネットワークを構築する少なくとも１つの受信要素へ送信するように準備し、
・最大値がＴである値ｔが、受信要素に割り当てられ、
・与えられたネットワークノードの直ぐ隣が、割り当てられた値ｔを最大値として有する場合、値ｔ−ｋがこのノードに割り当てられ、
・各ノードは、それが有する値よりも大きな値ｔを有する隣のノードへメッセージを送信し、同じ最大値を有するノードが複数ある場合には、それらのうちの１つへ送信する、
というルーチンアルゴリズムに従うことを特徴とするシステム。
【誤訳訂正２】
【訂正対象書類名】明細書
【訂正対象項目名】０００６
【訂正方法】変更
【訂正の内容】
【０００６】
最新の現行のシステムは、現在、メータからの読取り値を送信するために電子遠隔計測発信システム（electronic telemetry emitter systems）を用いている。このシステムでは、作業者がメータによって送信された数値を“読取る（read）”ために手のひらサイズの受信器（hand-held receiver）を用いることを要し、これは、前述の受信器が送信器の送信可能範囲（coverage range）内に存在しなければならないことを意味する。このシステムはこれまでの典型的な手作業での読取りに関して存在した不利益のいくつかを解決することができるが、しかし、未だいくつかの制限が存在する。
【誤訳訂正３】
【訂正対象書類名】明細書
【訂正対象項目名】０００８
【訂正方法】削除
【訂正の内容】
【誤訳訂正４】
【訂正対象書類名】明細書
【訂正対象項目名】０００９
【訂正方法】削除
【訂正の内容】
【誤訳訂正５】
【訂正対象書類名】明細書
【訂正対象項目名】００１１
【訂正方法】変更
【訂正の内容】
【００１１】
水道、ガスおよび電気メータからの読取り値の自動収集および自動送信をするシステムは、少なくとも１つの送信装置はこのメータからの信号をマイクロコントローラサブシステムで処理されるように適合させ、このマイクロコントローラサブシステムは、或る領域内にネットワークを生成する少なくとも１つの受信要素へＲＦ送信サブシステムから送られるその読取りデータを準備し、
前述の読取りは、
・最大値がＴである値ｔが、受信要素に割り当てられ、
・与えられたネットワークノードの直ぐ隣が、割り当てられた値ｔを最大値として有する場合、値ｔ−ｋがこのノードに割り当てられ（ここで、ｋ＞０である）、
・各ノードは、それが有する値よりも大きな値ｔを有する隣のノードへメッセージを送信する。同じ最大値を有するノードが複数ある場合には、それらのうちの１つへ送信する、
といったルーチンアルゴリズムに従って、マルチホップ（multihop）技術を用いて次の要素へ送信される。